(57)【要約】【課題】左右の大引間に床断熱材を適正に配置することができるとともに、大引上に大引断熱材を介して床板を配置する床断熱構造を施工容易にしかもコスト的に有利に実現し、さらに床下の環境に左右されず断熱材表面に結露が起こったとしても断熱材が断熱性能を維持することができる床断熱パネルを提供する。【解決手段】左右の金属製の大引き６間に床断熱材３が配置されるとともに、大引き６の上に床板２が根太レスで配置され、各大引６と床板２との間に大引断熱材５が介設される床断熱構造のために用いられる断熱床パネル１であって、床板２の背面部にマット状の床断熱材３が設置され、床断熱材３はシート４により床板２背面部に支持され、シート４の端部は床板２背面部と大引断熱材５に狭持されている。シート４と床断熱材３及び床断熱材３と床板２がそれぞれ接着されているとよい。【選択図】    図１
2010095922.tif 000002
【特許請求の範囲】
【請求項１】
左右の金属製の大引き間に床断熱材が配置されるとともに、該大引きの上に床板が根太レスで配置され、各大引と床板との間に大引断熱材が介設される床断熱構造のために用いられる断熱床パネルであって、
床板の背面部にマット状の床断熱材が設置され、床板背面部と大引断熱材にシートの端部が狭持され、該床断熱材が該シートにより床板背面部に支持されていることを特徴とする断熱床パネル。
【請求項２】
前記シートが透湿性を有するシートからなる請求項１に記載の断熱床パネル。
【請求項３】
前記シートが前記床断熱材に接着されている請求項１または２に記載の断熱床パネル。
【請求項４】
前記床断熱材が床板に接着されている請求項１乃至３に記載の断熱床パネル。
【発明の詳細な説明】
【技術分野】
【０００１】
本発明は、建物の断熱床パネルに関する。詳しくは建物の大引上に配置される１階用の断熱床パネルに関する。
【背景技術】
【０００２】
住宅等の建物の１階の床の断熱材として、グラスウールやロックウール等のマット状断熱材を用いる場合、その施工は例えば、大引上に熱橋防止の断熱材を設置しその上に断熱材支持金物をわたし、該金物に断熱材を支持させ、その上に床板を設置するというようにして行われる。
【０００３】
また、現場での施工性を考慮して、床板を断熱材を一体化して床パネルとし、断熱材を保持する金物がパネル積載時の断熱材の厚さ方向のスペースを保持する支持体を兼ねる床パネルも提案されている。
【０００４】
【特許文献１】特開２００７−２８５０６８号公報
【特許文献２】特開２００８−１０６５１９号公報
【発明の開示】
【発明が解決しようとする課題】
【０００５】
しかし、グラスウールやロックウール等のマット状断熱材を用いる場合、その施工は例えば、大引上に熱橋防止の断熱材を設置しその上に断熱材支持金物をわたし、該金物に断熱材を支持させ、その上に床板を設置するという工程になり、施工工程が多いため、施工性が悪く仕上がりにもばらつきがあった。
【０００６】
また、床板と断熱材を一体化した床パネルでは、運搬に耐えうるために金物に強度が要求され、コスト高となる問題があった。
【０００７】
さらに、断熱材の支持材として金物を使用しているため、設備配管などのために床に孔をあける際に金物が邪魔になることがあり、別途専用のパネルを用意する必要があった。
【０００８】
また、床下の環境によって、断熱材表面が結露することがあり、断熱材が結露することで断熱材自体が水分を保有し断熱性能が低下するという問題があった。
【０００９】
本発明は、以上のような問題点に鑑み、左右の大引間に床断熱材を適正に配置することができるとともに、大引上に大引断熱材を介して床板を配置する床断熱構造を施工容易にしかもコスト的に有利に実現し、さらに床下の環境に左右されず断熱材表面に結露が起こったとしても断熱材が断熱性能を維持することができる床断熱パネルを提供することを課題とする。
【課題を解決するための手段】
【００１０】
上記の課題は、左右の金属製の大引き間に床断熱材が配置されるとともに、該大引きの上に床板が根太レスで配置され、各大引と床板との間に大引断熱材が介設される床断熱構造のために用いられる断熱床パネルであって、
床板の背面部にマット状の床断熱材が設置され、床板背面部と大引断熱材にシートの端部が狭持され、該床断熱材が該シートにより床板背面部に支持されていることを特徴とする断熱床パネルにより解決される。
【００１１】
この断熱床パネルは、工場で床パネルとして組み立てられており、また、床断熱材がシートで下から全面を支持して保持されているため、現場での作業量が低減され、工期の短縮、品質の安定を図ることができる。
【００１２】
また、床断熱材の支持に金物を用いておらず、シートで支持しているので、設備配管用の孔をあける位置に制約がなく任意の位置に孔をあけることができるので、設備配管の孔をあけるための特別な断熱床パネルを用意する必要がなく、部品点数の削減、設計条件の緩和を実現することができる。
【００１３】
また、床下の環境により結露が生じても、シート表面に結露するだけで床断熱材自体は結露しないため、床断熱材が含水することによる断熱性能の低下を防止することができる。
【００１４】
この断熱床パネルの断熱材支持のためのシートが透湿シートであるとよい。
【００１５】
床断熱材支持のためのシートが透湿シートであることで、断熱材内部の湿気をシートを介して床下空間へ放出することができ、床断熱材の湿気を防止することができ、より一層断熱材の断熱性能の維持を図ることができる。
【００１６】
また、シートが床断熱材に接着されているとよい。
【００１７】
シートが床断熱材に接着されていることで、シートがたるむことなく床断熱材を保持することができ、また、床パネルに設備配管用の孔をあける際に、床断熱材とシートが分離して孔あけ作業が煩雑になることを防止することができる。
【００１８】
また、床断熱材が床板に接着されているとよい。
【００１９】
床断熱材が床板に接着されていることで、床断熱材を保持するシートにかかる負担を低減することができる。また、床断熱材が床板にしっかりと固定されているため、床パネルの運搬時、施工時に床断熱材がぐらつくことなくしっかりとした安定性を維持することができる。
【発明の効果】
【００２０】
本発明は以上のとおりであるから、左右の大引間に床断熱材を適正に配置することができるとともに、大引上に大引断熱材を介して床板を配置する床断熱構造を施工容易にしかもコスト的に有利に実現し、さらに床下の環境に左右されず断熱材表面に結露が起こったとしても断熱材が断熱性能を維持することができる床断熱パネルを提供することができる。
【発明を実施するための最良の形態】
【００２１】
次に、本発明の実施最良形態を図面に基づいて説明する。
【００２２】
図１に示す本発明の実施形態である断熱床パネル１において、２は合板などからなる床板、３はグラスウールやロックウールなどかならなる床断熱材、４は透湿防水シートなどからなるシート、５はポリスチレンフォームなどからなる大引断熱材である。断熱床パネルは図２に示すように、金属性の大引としての鋼製大引６に並べて配置される。
【００２３】
断熱床パネル１・・が施工されると、左右の鋼製大引６，６間に床断熱材３が配置されるとともに、前記大引６，６の上に床板２が根太レスで設置され、各大引６，６と床板２との間に大引断熱材５が介設される。
【００２４】
断熱床パネル１は、合板などからなる平面板状の床板２の背面にマット状の床断熱材３がその両側面３ｂ，３ｂに大引断熱材５，５と当接して配置されている。床断熱材３はシート４で下面側より支持され、シート４は、床断熱材３の下面３ａと両側面３ｂ，３ｂを覆い、床板２下面部の大引断熱材取付部２ａ，２ａまで貼り伸ばされ、床板２と大引断熱材５に狭持される。シート４は床板２と大引断熱材５に狭持、支持されており、シートが線状に支持されるため、大引断熱材５の固定ピッチが粗くてもシート４は確実に支持される。
【００２５】
シート４と床断熱材３とは、全面もしくは部分的に接着される。シート４と床断熱材３とが、接着されていることで、シート４に係る負担を緩和できる。また、断熱床パネル１に配管用などの孔をあけるときに、床断熱材３とシートが乖離し施工が難しくなることを防止し、また配管等施工後にシート４と床断熱材３とが乖離することを防止することができる。シート４と床断熱材３とを部分的に接着する場合には、配管等を配置する箇所はシート４と床断熱材３との接着がされていることが望ましい。
【００２６】
また、床断熱材３と床板２とも接着されているとよい。接着されていることで断熱床パネル１の搬送時、施工時に床板２とシート４間の床断熱材３が振動したり、垂れ下がったりすることを防止することができる。
【００２７】
断熱床パネル１の製作は次のようにして行われる。
【００２８】
図３（イ）に示すように、背面側を上向きにした床板２の全面に接着剤７を塗布し、その上に床断熱材３を載置する。
【００２９】
図３（ロ）に示すように、床板２上に載置した床断熱材の正面３ａ及び長手方向両側面３ｂ，３ｂに接着剤を塗布したのち、床板２及び床断熱材３の形状に沿わせてシート４を貼り付ける。ここで長手方向とは、大引断熱材５の長手方向と一致する方向をいう。
【００３０】
そして、図３（ハ）に示すように床板２の背面側であって、床断熱材３を貼り控えた両側面大引断熱材取付部２ａ，２ａに大引断熱材４，４を配置し、ビス８…で固定する。
【００３１】
上記の断熱床パネル１は、床断熱材３がシート４に支持されシート４も両端部を床板２と大引断熱材５で狭持され支持されているため、床板２に床断熱材３がしっかりと保持されている。さらに、床板２と床断熱材３、床断熱材３とシート４がそれぞれ接着剤で接着されているため、よりいっそうしっかりと保持されている。
【００３２】
また、断熱床パネル１は床断熱材３が透湿防水シートからなるシート４で覆われているため、床下の環境により、断熱床パネル１が結露することがあっても、シート４表面に結露するだけであって床断熱材３自体が結露することはなく、床断熱材の断熱性能は維持される。また、床断熱材３内の湿気、特に１階居室側からの湿気もシート４を介して床下へ放出することができ、居住環境の改善に一層効果を発揮する。
【００３３】
以上に、本発明の実施形態を示したが、本発明はこれに限られるものではなく、発明思想を逸脱しない範囲で各種の変更が可能である。例えば、上記の実施形態では、大引断熱材５を床板２にビス８で固定した場合について示したが、固定の具体的方法に制限はなく、要は大引断熱材が床板２にシート４を狭持してしっかりと固定されればよく、釘で固定してもよいし、専用の金物により固定されてもよい。
【図面の簡単な説明】
【００３４】
【図１】本発明の実施形態の断熱床パネルを示すもので、図（イ）は断面正面図、図（ロ）は部材を分割して示す断面正面図である。
【図２】図（イ）は断熱床パネルを大引き上に載置した状況を示す断面正面図、図（ロ）はその要部拡大断面正面図である。
【図３】図（イ）〜図（ハ）は断熱床パネルの制作方法を順次に示す断面正面図である。
【符号の説明】
【００３５】
１・・・断熱床パネル
２・・・床板
３・・・床断熱材
４・・・シート
５・・・大引断熱材
６・・・大引き
【図１】
2010095922.tif 000003
【図２】
2010095922.tif 000004
【図３】
2010095922.tif 000005